(57)【要約】【課題】原稿を読み込む際の読み込みモードの設定が効率的に行えるようにする。【解決手段】画像形成装置１０は、プラテンモード、ＡＤＦモードの２種類の読み込みモードが設定可能である。ＡＤＦモードがデフォルトに設定されている場合、ＡＤＦ２０が開かれるタイミングから、プラテンガラス３２上に原稿が取り除かれた状態でＡＤＦ２０が閉じられるタイミングまでの期間は、読み込みモードがプラテンモードとなり、リセット指示があっても、当該読み込みモードが保持される。また、プラテンモードがデフォルトに設定されている場合、ＡＤＦ２０に原稿がセットされるタイミングから、ＡＤＦ２０から原稿が取り除かれるタイミングまでの期間は、読み込みモードがＡＤＦモードとなり、リセット指示があっても、当該読み込みモードが保持される。【選択図】図４
2005151114.tif 000002
【特許請求の範囲】
【請求項１】
プラテンガラス上に載置された原稿から画像を読み込むプラテンモード、又は、ＡＤＦ（Auto Document Feeder）にセットされた原稿から画像を読み込むＡＤＦモードのうちの何れか一方の読み込みモードに基づいて画像を読み込み、当該読み込んだ画像を記録媒体に形成する画像形成装置において、
予め設定された画像形成条件に対するリセット指示が入力されると、
現在設定されている読み込みモードと、デフォルトに設定されている読み込みモードと、プラテンガラス上に載置された原稿の有無又はＡＤＦにセットされた原稿の有無とを判定し、当該判定結果に基づいて現在設定されている読み込みモードを変更又は保持するよう制御する画像制御部を備えたことを特徴とする画像形成装置。
【請求項２】
前記画像制御部は、
前記リセット指示が入力されると、
現在設定されている読み込みモードがプラテンモードであり、且つデフォルトに設定された読み込みモードがＡＤＦモードであり、且つプラテンガラス上に原稿が載置されていない場合には、読み込みモードをＡＤＦモードに変更し、
現在設定されている読み込みモードがプラテンモードであり、且つデフォルトに設定された読み込みモードがプラテンモードである場合、又は、現在設定されている読み込みモードがプラテンモードであり、且つデフォルトに設定された読み込みモードがＡＤＦモードであり、且つプラテンガラス上に原稿が載置されている場合には、現在設定されているプラテンモードを保持し、
現在設定されている読み込みモードがＡＤＦモードであり、且つデフォルトに設定された読み込みモードがプラテンモードであり、且つＡＤＦに原稿がセットされていない場合には、読み込みモードをプラテンモードに変更し、
現在設定されている読み込みモードがＡＤＦモードであり、且つデフォルトに設定された読み込みモードがＡＤＦモードである場合、又は、現在設定されている読み込みモードがＡＤＦモードであり、且つデフォルトに設定された読み込みモードがプラテンモードであり、且つＡＤＦに原稿がセットされている場合には、現在設定されているＡＤＦモードを保持するよう制御することを特徴とする請求項１に記載の画像形成装置。
【請求項３】
プラテンガラス上に載置された原稿から画像を読み込むプラテンモード、又は、ＡＤＦ（Auto Document Feeder）にセットされた原稿から画像を読み込むＡＤＦモードのうちの何れか一方の読み込みモードに基づいて画像を読み込み、当該読み込んだ画像を記録媒体に形成する画像形成装置において、
予め設定された画像形成条件に対するリセット指示が入力されると、
現在設定されている読み込みモードを保持するか否かの指示入力に応じて、当該読み込みモードを変更又は保持するよう制御する画像制御部を備えたことを特徴とする画像形成装置。
【請求項４】
前記画像制御部は、
前記リセット指示が入力されると、
現在設定されている読み込みモードを保持する旨の指示入力が成された場合には、当該読み込みモードを保持し、現在設定されている読み込みモードを保持しない旨の指示入力が成された場合には、当該読み込みモードを予めデフォルトに設定されている読み込みモードに変更するよう制御することを特徴とする請求項３に記載の画像形成装置。
【発明の詳細な説明】
【技術分野】
【０００１】
本発明は、紙等の印刷用記録媒体に対して画像を印刷する複写機や複合機等の画像形成装置に関する。
【背景技術】
【０００２】
従来、画像を原稿から読み取り、当該読み取った画像を、紙やＯＨＰ（Over Head Projector）シート等の印刷用記録媒体（以下、印刷シートという。）に印刷する複写機や複合機等の画像形成装置が種々開発されている。
【０００３】
特に、最近の画像形成装置は、プラテンガラス上に載置された原稿から画像を読み込むためのプラテンモードや、ＡＤＦ（Auto Document Feeder；自動原稿送り装置）にセットされた原稿から画像を読み取るためのＡＤＦモードといった複数の読み込みモードが設定可能となっている。
【０００４】
例えば、特許文献１には、ＡＤＦが開かれるとプラテンモードに設定し、ＡＤＦに原稿がセットされるとＡＤＦモードに設定する技術が開示されている。
【特許文献１】特開平９―１０６１４９号公報
【発明の開示】
【発明が解決しようとする課題】
【０００５】
例えば、プラテンモードがデフォルトの読み込みモードに設定されている際に、ＡＤＦに原稿がセットされ、読み込みモードがＡＤＦモードに変更された場合、濃度設定等の画像形成条件を解除する等の理由によりリセット指示が入力されると、ＡＤＦから原稿を読み取ろうとしているにもかかわらず、一旦変更されたＡＤＦモードがデフォルトのプラテンモードに戻ってしまうため、ＡＤＦモードに改めて設定し直さなければならず、不便である。
【０００６】
本発明の課題は、紙等の記録媒体に対して画像を印刷する複写機や複合機等の画像形成装置において、原稿を読み込む際の読み込みモードの設定が効率的に行えるようにすることである。
【課題を解決するための手段】
【０００７】
上記課題を解決するため、請求項１記載の発明は、
プラテンガラス上に載置された原稿から画像を読み込むプラテンモード、又は、ＡＤＦ（Auto Document Feeder）にセットされた原稿から画像を読み込むＡＤＦモードのうちの何れか一方の読み込みモードに基づいて画像を読み込み、当該読み込んだ画像を記録媒体に形成する画像形成装置において、
予め設定された画像形成条件に対するリセット指示が入力されると、
現在設定されている読み込みモードと、デフォルトに設定されている読み込みモードと、プラテンガラス上に載置された原稿の有無又はＡＤＦにセットされた原稿の有無とを判定し、当該判定結果に基づいて現在設定されている読み込みモードを変更又は保持するよう制御する画像制御部を備えたことを特徴とする。
【０００８】
更に、請求項２に記載の発明のように、請求項１に記載の発明において、
前記画像制御部は、
前記リセット指示が入力されると、
現在設定されている読み込みモードがプラテンモードであり、且つデフォルトに設定された読み込みモードがＡＤＦモードであり、且つプラテンガラス上に原稿が載置されていない場合には、読み込みモードをＡＤＦモードに変更し、
現在設定されている読み込みモードがプラテンモードであり、且つデフォルトに設定された読み込みモードがプラテンモードである場合、又は、現在設定されている読み込みモードがプラテンモードであり、且つデフォルトに設定された読み込みモードがＡＤＦモードであり、且つプラテンガラス上に原稿が載置されている場合には、現在設定されているプラテンモードを保持し、
現在設定されている読み込みモードがＡＤＦモードであり、且つデフォルトに設定された読み込みモードがプラテンモードであり、且つＡＤＦに原稿がセットされていない場合には、読み込みモードをプラテンモードに変更し、
現在設定されている読み込みモードがＡＤＦモードであり、且つデフォルトに設定された読み込みモードがＡＤＦモードである場合、又は、現在設定されている読み込みモードがＡＤＦモードであり、且つデフォルトに設定された読み込みモードがプラテンモードであり、且つＡＤＦに原稿がセットされている場合には、現在設定されているＡＤＦモードを保持するよう制御するのが好ましい。
【０００９】
また、上記課題を解決するため、請求項３に記載の発明は、
プラテンガラス上に載置された原稿から画像を読み込むプラテンモード、又は、ＡＤＦ（Auto Document Feeder）にセットされた原稿から画像を読み込むＡＤＦモードのうちの何れか一方の読み込みモードに基づいて画像を読み込み、当該読み込んだ画像を記録媒体に形成する画像形成装置において、
予め設定された画像形成条件に対するリセット指示が入力されると、
現在設定されている読み込みモードを保持するか否かの指示入力に応じて、当該読み込みモードを変更又は保持するよう制御する画像制御部を備えたことを特徴とする。
【００１０】
更に、請求項４に記載の発明のように、請求項３に記載の発明において、
前記画像制御部は、
前記リセット指示が入力されると、
現在設定されている読み込みモードを保持する旨の指示入力が成された場合には、当該読み込みモードを保持し、現在設定されている読み込みモードを保持しない旨の指示入力が成された場合には、当該読み込みモードを予めデフォルトに設定されている読み込みモードに変更するよう制御するのが好ましい。
【発明の効果】
【００１１】
本発明によれば、プラテンガラス上に原稿を載置してプラテンモードで原稿から画像を読み込む場合、また、ＡＤＦに原稿をセットしてＡＤＦモードで原稿から画像を読み込む場合には、リセット指示が入力されても、プラテンモードにおいては、プラテンガラス上から原稿が取り除かれるまで、または、ＡＤＦモードにおいては、ＡＤＦから原稿が取り除かれるまで、デフォルトに設定された読み込みモードに変更されるということが無くなるので、濃度設定を変える等の理由でリセット指示しても、改めてプラテンモードやＡＤＦモードの読み込みモードを設定し直す必要が無く、機能性、利便性の向上が図られる。
【発明を実施するための最良の形態】
【００１２】
以下、図面を参照して本発明を適用した一実施の形態について詳細に説明する。
まず、図１を参照して、画像形成システム１の構成について説明する。図１に示すように、画像形成システム１は、画像形成装置１０と、当該画像形成装置１０の後段に接続された後処理装置９０とを備える。
【００１３】
画像形成装置１０は、原稿から画像を読み取り、当該読み取った画像を紙等の印刷シートに画像形成するコピー機能や、パーソナルコンピュータ等から印刷データを受信し、当該印刷データが表す画像を印刷シート上に形成して出力するプリンタ機能等を備えたデジタル複合機等であり、ＡＤＦ２０、読取部３０、プリンタ部４０を備える。
【００１４】
ＡＤＦ２０は、自動原稿送り装置であり、原稿載置トレイ２１に積載される原稿２を読取部３０の読取個所に一枚ずつ搬送する。また、ＡＤＦ２０は、原稿２が両面原稿の場合、原稿２の片面読み取り後に原稿２の表裏を反転して再び読取部３０へ原稿２を搬送する。
【００１５】
ＡＤＦ２０は、原稿載置トレイ２１に積載される原稿２を最上部から順に搬送する給紙ローラ２２と、原稿２の読取個所であるコンタクトガラス３１に原稿２を密着させながら通過させるための密着ローラ２３と、給紙ローラ２２により搬送された原稿２を密着ローラ２３に沿って案内する案内ローラ２４とを備える。
【００１６】
ＡＤＦ２０は、コンタクトガラス３１を通過した原稿２の進行方向を切り替える切替爪２５と、原稿２の表裏を反転させるための反転ローラ２６と、読み取りが完了した原稿２が排出される排紙トレイ２７とを備える。
【００１７】
読取部３０は、ＡＤＦ２０により搬送された原稿２から画像を読み取り、当該画像を表す画像データを、主制御部１００側に出力する。
【００１８】
読取部３０は、光源３３及びミラー３４を備えた露光走査部３５と、原稿２からの反射光を受光しその光強度に応じた電気信号を出力するラインイメージセンサ３６と、原稿２からの反射光をラインイメージセンサ３６へ集光する集光レンズ３７と、露光走査部３５のミラー３４からの反射光をラインイメージセンサ３６へ導くための光学経路を形成する各種ミラー３８とを備える。
【００１９】
ＡＤＦ２０により搬送された原稿２が読み取られる場合、露光走査部３５がコンタクトガラス３１の下方の読取個所へ移動して停止し、その上を密着ローラ２３により搬送される原稿２が読み取られる。プラテンガラス３２上に載置された原稿２が読み取られる場合には、プラテンガラス３２の下面に沿って左から右へと露光走査部３５が移動して静止状態の原稿２が読み取られる。
【００２０】
プリンタ部４０は、画像データにより表される画像を電子写真プロセスにより印刷シート上に形成する。プリンタ部４０は、画像データに応じてＯＮ／ＯＦＦするレーザ光を出力するレーザーユニット４２を備える。
【００２１】
また、プリンタ部４０は、表面に静電潜像が形成される感光体４３と、その周囲に配置された帯電装置４４と、現像装置４５と、転写装置４６と、分離装置４７と、クリーニング装置４８とを備える。
【００２２】
感光体４３は、円筒形状を有すると共に、図示しない駆動部により一定方向（図中符号Ａに示す方向）に回転される。帯電装置４４は、コロナ放電により感光体４３を一様に帯電させる。
【００２３】
このように一様に帯電された感光体４３の表面が、画像データに応じてＯＮ／ＯＦＦするレーザー光で走査されることにより、感光体４３の表面に静電潜像が形成される。
【００２４】
現像装置４５は、感光体４３の表面に形成された静電潜像をトナー像として顕在化する。
【００２５】
転写装置４６は、電界を与えることで感光体４３表面のトナー像を印刷シートに静電的に転写し、分離装置４７は、除電により感光体４３から印刷シートを分離する。
【００２６】
クリーニング装置４８は、転写後に感光体４３上に残ったトナーをブレード等で擦って除去し回収する。当該回収されたトナーは図示しない経路を通じて現像装置４５に戻される。定着装置４９は、印刷シート上のトナー像を加圧加熱して印刷シートに固着させる。
【００２７】
給紙部６０は、複数の給紙カセット６１を備える。これらの中には、通常、サイズや紙種等、異なる印刷シートが収容される。第一給紙ローラ６２は、給紙カセット６１に収容された印刷シートを最上部から一枚ずつ搬送部７０に向けて搬送する。
【００２８】
搬送部７０は、給紙カセット６１から搬送された印刷シートを感光体４３と転写装置４６との間の転写個所を通過させ、更にその下流の定着装置４９を経て機外（後続の後処理装置９０）に排出する通常経路７０ａと、定着装置４９を通った印刷シートの表裏を反転させた後、転写個所の上流で再び通常経路７０ａに合流させる反転経路７０ｂとから構成される。
【００２９】
最初に通常経路７０ａを通る際に印刷シートの表面に画像が形成され、反転経路７０ｂを通過した後再び通常経路７０ａを通る際に印刷シートの裏面に画像が形成されるようになっている。
【００３０】
定着装置４９の後方（下流）には、印刷シートの進路を切り替える進路切替爪７５が配置されている。進路切替爪７５を図中点線で示す水平位置にすると、排紙方法がストレート排紙となり、定着後の印刷シートは図中符号Ｃに示す方向に直進して後処理装置９０へ排出される。進路切替爪７５を図中実線で示す傾斜位置にすると、印刷シートは図中符号Ｄに示す方向へ搬送される。
【００３１】
図中符号Ｄに示す方向へ搬送された印刷シートは、両面印刷時における表面への画像形成後には、そのまま反転経路７０ｂへ搬送されて裏面に対する画像形成が行われる。片面印刷時等、画像形成後の印刷シートの表裏を反転して排出する場合は、図中符号Ｄに示す方向へ搬送された印刷シートの後端が、分岐点に配置された反転ローラ７６に到達すると、当該反転ローラ７６が逆転駆動される。これにより、印刷シートは、図中符号Ｆに示す方向に搬送され、表裏が反転されたフェースダウンの状態で後処理装置９０に排出される。
【００３２】
画像形成装置１０は、給紙カセット６１に収容された印刷シートを、印刷物の表紙や挿入用印刷シート（インターシート）として付加する。
【００３３】
後処理装置９０は、画像形成装置１０により出力される複数の印刷シートの間や、その前後に表紙や章区切りのための途中挿入紙等の挿入シート４を付加する。また、画像形成装置１０により出力される印刷シートや、これに挿入シート４を付加した印刷物をステイプルで綴じたり又は印刷物にパンチ穴を開けたりする加工手段９１を備える。
【００３４】
加工手段９１は、印刷シートや挿入シート４を、そのスタック部に搬送された順に堆積させ、必要枚数が揃った時点で入力される指示に応じて綴じや穴あけ等の加工を施し、加工後の印刷物を排紙トレイ９２に排出する。後処理装置９０の上部にセットされた挿入シート４はその表裏が反転された状態で加工手段９１に搬送される。
【００３５】
次に、図３を参照して、画像形成装置１０の回路構成を説明する。
読取部３０は、ラインイメージセンサ３６、スキャナ制御部２１０を備える。ラインイメージセンサ３６は、ＣＣＤ（Charge Coupled Devices）等によって成り、プラテンガラス３２に載置された原稿２から光電変換によって画像を読み取り、主制御部１００の読み取り処理部１０１に出力する。スキャナ制御部２１０は、光源３３の点灯制御や露光走査部３５の移動制御等を行う。
【００３６】
ＡＤＦ制御部２１５は、自動原稿送り制御等、ＡＤＦ２０が行う動作を制御する。特に、原稿有無センサ２１５ａ、開閉センサ２１５ｂから出力された各種検出信号を画像制御部１１０に出力する。
【００３７】
原稿有無センサ２１５ａは、ＡＤＦ２０にセットされた原稿の有無を検出し、当該検出信号をＡＤＦ制御部２１５に出力する。また、開閉センサ２１５ｂは、ＡＤＦ２０の開閉状態を検出し、当該検出信号をＡＤＦ制御部２１５に出力する。
【００３８】
操作表示部２２０は、液晶ディスプレイ等から成る表示部２２１と、そのディスプレイ上に敷設されたタッチスイッチ及びその他のスイッチ等から成る操作部２２２と、表示部２２１及び操作部２２２の動作を制御する操作制御部２２３とを備え、各種操作入力を行ったり、各種情報を表示したりする。
【００３９】
操作制御部２２３は、図３に例示する基本操作画面Ｅを表示部２２１に表示させ、各種操作入力を行うよう制御する。特に、操作制御部２２３は、原稿から画像を読み込む際の読み込みモード設定指示や、各種設定条件（例えば、濃度設定等。）をリセットするためのリセット指示等の入力を行い、当該各種指を画像制御部１１０に出力するよう制御する。ここで、読み込みモードは、ユーザが、図中符号Ｅ１（Ｅ２）に示す操作入力ボタンを指等でタッチすると、プラテンモード（図中符号Ｅ２に示す表示。）かＡＤＦモード（図中符号Ｅ１に示す表示。）かが切り替えられる。
【００４０】
プリンタ部４０は、レーザーユニット４２と、プリンタ制御部２３０とを備える。プリンタ制御部２３０は、ポリゴンミラーの回転を制御する他、帯電装置４４、転写装置４６、分離装置４７への電圧印加、感光体４３の回転、現像装置４５、クリーニング装置４８、定着装置４９、給紙部６０、搬送部７０等の動作を統括的に制御する。
【００４１】
上記スキャナ制御部２１０、ＡＤＦ制御部２１５、操作制御部２２３、プリンタ制御部２３０は、それぞれ図示しないＣＰＵ（Central Processing Unit）、ＲＯＭ（Read Only Memory）、ＲＡＭ（Random Access Memory）等を備え、当該ＲＯＭに格納されたプログラムを実行することにより各種制御を行う。
【００４２】
主制御部１００は、読み取り処理部１０１、ＤＲＡＭ制御部１０２、圧縮部１０３、伸張部１０４、画像メモリ１０５、書き込み処理部１０６、不揮発メモリ１０７、画像制御部１１０を備える。
【００４３】
読み取り処理部１０１は、読取部３０により出力される画像データに対してＡ／Ｄ（Analog/DIgital）変換処理、拡大処理、鏡像処理、誤差拡散による２値化処理等を施す。
【００４４】
圧縮部１０３は、当該２値化された画像データを圧縮し、伸張部１０４は、当該圧縮された画像データを元のイメージデータに伸張する。
【００４５】
画像メモリ１０５は、上記圧縮された画像データを蓄積する圧縮メモリ１０５ａを備える。
【００４６】
書き込み処理部１０６は、画像メモリ１０５から読み出されて伸張された画像データを、プリンタ部４０の動作に応じたタイミングでレーザーユニット４２へ出力する。
【００４７】
ＤＲＡＭ制御部１０２は、ダイナミックＲＡＭからなる画像メモリ１０５へのリード・ライト及びリフレッシュのタイミング制御や、画像データを圧縮して画像メモリ１０５に格納したり画像メモリ１０５から圧縮データを読み出して伸張したりする際のタイミング制御等を行う。
【００４８】
画像制御部１１０は、図示しないＣＰＵやＲＯＭ、ＲＡＭ等を備え、当該ＣＰＵが当該ＲＯＭに格納されたプログラムを実行することにより、画像形成装置１０の動作全体を統括的に制御し、画像データの流れを管理したり、ジョブの予約登録や実行を管理したりする。特に、原稿有無センサ２１５ａ及び開閉センサ２１５ｂからの各種検出信号と、読み込みモードの設定指示と、リセット指示とに基づいて、図４、図５の各フローチャートに示す読み込みモードのリセット処理や、図６のタイミングチャートに示す動作処理を実行する。なお、キーカウンター挿入時、コピーカード挿入時、コインベンダーへのコイン投入時、パスワード入力時、予約画面表示時、基本操作画面表示時、スキャナー又はサーバー画面初期化時等にも、リセット指示が画像制御部１１０に入力される。
【００４９】
不揮発メモリ１０７は、電源ＯＦＦ後もユーザデータやシステムデータ等を記憶する。
【００５０】
次に、図４〜図６を参照して、画像形成システム１の動作を説明する。以下に説明する動作は、画像制御部１１０によって実行される。
【００５１】
まず、図４のフローチャートに示す読み込みモードのリセット処理、すなわち、所定条件が満たされなければリセット指示が入力されても現在設定されている読み込みモードを変更しないよう制御するための読み込みモード保持機能について説明する。
【００５２】
所定の動作が終了した後、リセット指示が入力されると、現在の読み込みモードがプラテンモードであるか否かが判定される（ステップＳ１０）。
【００５３】
ステップＳ１０の段階で、現在の読み込みモードがプラテンモードの場合（ステップＳ１０；Ｙｅｓ）、更に、デフォルトに設定された読み込みモードがＡＤＦモードであるか否かが判定され（ステップＳ１１）、デフォルト設定がプラテンモードの場合（ステップＳ１１；Ｎｏ）、現在の読み込みモード（プラテンモード）は変更されない。
【００５４】
ステップＳ１１の段階で、デフォルト設定がＡＤＦモードの場合（ステップＳ１１；Ｙｅｓ）、更に、プラテンガラス３２上に原稿無しか否かが判定され（ステップＳ１２）、原稿有りの場合（ステップＳ１２；Ｎｏ）、現在の読み込みモード（プラテンモード）は変更されない。
【００５５】
ここで、プラテンガラス３２上の原稿の有無は、ラインイメージセンサ３６による読み取りデータに基づいて判定されるものとする。なお、ラインイメージセンサ３６を用いることなく、他の検出器を用いて、プラテンガラス３２上の原稿有無を検出するようにしてもよい。
【００５６】
ステップＳ１２の段階で、プラテンガラス３２上に原稿無しの場合（ステップＳ１２；Ｙｅｓ）、現在の読み込みモード（プラテンモード）が変更され、当該場合におけるデフォルト設定のＡＤＦモードに戻される（ステップＳ１３）。
【００５７】
ステップＳ１０に戻って説明する。
ステップＳ１０の段階で、現在の読み込みモードがＡＤＦモードの場合（ステップＳ１０；Ｎｏ）、更に、デフォルトに設定された読み込みモードがプラテンモードであるか否かが判定され（ステップＳ１４）、デフォルト設定がＡＤＦモードの場合（ステップＳ１４；Ｎｏ）、現在の読み込みモード（ＡＤＦモード）は変更されない。
【００５８】
ステップＳ１４の段階で、デフォルト設定がプラテンモードの場合（ステップＳ１４；Ｙｅｓ）、更に、ＡＤＦに原稿無しか否かが判定され（ステップＳ１５）、原稿有りの場合（ステップＳ１５；Ｎｏ）、現在の読み込みモード（ＡＤＦモード）は変更されない。
【００５９】
ステップＳ１５の段階で、ＡＤＦに原稿無しの場合（ステップＳ１５；Ｙｅｓ）、現在の読み込みモード（ＡＤＦモード）が変更され、当該場合におけるデフォルト設定のプラテンモードに戻される（ステップＳ１６）。
【００６０】
次に、図５のフローチャートに示す読み込みモードのリセット処理について説明する。ここでは、読み込みモード保持機能を有効にするか、或いは無効にするかの選択が可能であり、当該選択結果（以下、読み込みモード保持スイッチという。）が不揮発メモリ１０７に記録される。以下に説明するリセット処理は、プラテンガラス３２上やＡＤＦ２０に原稿がセットされているか否かが検出できない画像形成装置１０に対して特に有効である。
【００６１】
所定の動作が終了した後、リセット指示が入力されると、読み込みモード保持スイッチがＯＮ、すなわち、読み込みモード保持機能が有効であるか否かが判定される（ステップＳ２０）。
【００６２】
ステップＳ２０の段階で、読み込みモード保持スイッチがＯＮの場合（ステップＳ２０；Ｙｅｓ）、読み込みモード保持機能は有効であり、現在の読み込みモードが保持される。
【００６３】
ステップＳ２０の段階で、読み込みモード保持スイッチがＯＦＦ、すなわち、読み込みモード保持機能が無効の場合（ステップＳ２０；Ｎｏ）、更に、デフォルトに設定された読み込みモードがプラテンモードか否かが判定される（ステップＳ２１）。
【００６４】
ステップＳ２１の段階で、デフォルト設定がプラテンモードの場合（ステップＳ２１；Ｙｅｓ）、現在の読み込みモードをプラテンモードに設定し（ステップＳ２２）、デフォルト設定がＡＤＦモードの場合（ステップＳ２１；Ｎｏ）、現在の読み込みモードをＡＤＦモードに設定する（ステップＳ２３）。
【００６５】
次に、図６のタイミングチャートに示す画像形成装置１０の動作処理について説明する。ここで説明する動作処理は、図４のリセット処理（読み込みモード保持機能は有効。）に基づいて行われるものである。
【００６６】
まず、図６（ａ）を参照して、ＡＤＦモードがデフォルト設定の場合の動作処理について説明する。
ＡＤＦ２０が開かれるタイミング（タイミングＴ１）で、読み込みモードがプラテンモードに設定され、タイミングＴ１以降、プラテンガラス上から原稿が取り除かれた状態（すなわち、プラテンガラス上に原稿無し。）でＡＤＦ２０が閉じられるタイミング（タイミングＴ２）まで、リセット指示があっても、現在設定されている読み込みモード（プラテンモード）は保持される。
【００６７】
上記タイミングＴ２以降は、リセット指示があると、現在設定されている読み込みモード（プラテンモード）が、デフォルト設定のＡＤＦモードに変更される。ここで、上記タイミングＴ２から、ＡＤＦ２０に原稿がセットされるタイミング（タイミングＴ３）までの間は、特に、リセット指示がない限り、現在設定されている読み込みモード（プラテンモード）が維持される。
【００６８】
次に、図６（ｂ）を参照して、プラテンモードがデフォルト設定の場合の動作処理について説明する。
ＡＤＦ２０に原稿がセットされるタイミング（タイミングＴ４）で、読み込みモードがＡＤＦモードに設定され、タイミングＴ４以降、ＡＤＦ２０から原稿が取り除かれるタイミング（タイミングＴ５）まで、リセット指示があっても、現在設定されている読み込みモード（ＡＤＦモード）は保持される。
【００６９】
上記タイミングＴ５以降は、リセット指示があると、現在設定されている読み込みモード（ＡＤＦモード）が、デフォルト設定のプラテンモードに変更される。ここで、上記タイミングＴ５から、ＡＤＦ２０が開かれるタイミング（タイミングＴ６）までの間は、特に、リセット指示がない限り、現在設定されている読み込みモード（ＡＤＦモード）が維持される。
【００７０】
以上説明したように、画像形成装置１０は、プラテンモード、ＡＤＦモードの２種類の読み込みモードが設定可能である。ＡＤＦモードがデフォルトに設定されている場合、ＡＤＦ２０が開かれるタイミングから、プラテンガラス３２上に原稿が取り除かれた状態でＡＤＦ２０が閉じられるタイミングまでの期間は、読み込みモードがプラテンモードとなり、リセット指示があっても、当該読み込みモードが保持される。また、プラテンモードがデフォルトに設定されている場合、ＡＤＦ２０に原稿がセットされるタイミングから、ＡＤＦ２０から原稿が取り除かれるタイミングまでの期間は、読み込みモードがＡＤＦモードとなり、リセット指示があっても、当該読み込みモードが保持される。
【００７１】
従って、プラテンガラス３２上に原稿を載置してプラテンモードで原稿から画像を読み込む場合、また、ＡＤＦ２０に原稿をセットしてＡＤＦモードで原稿から画像を読み込む場合には、リセット指示が入力されても、プラテンモードではプラテンガラス３２上から原稿が取り除かれた状態でＡＤＦ２０が閉じられるまで、または、ＡＤＦモードではＡＤＦ２０から原稿が取り除かれるまで、デフォルトに設定された読み込みモードに変更されるということが無くなるので、濃度設定を変える等の理由でリセット指示しても、改めてプラテンモードやＡＤＦモードの読み込みモードを設定し直す必要が無く、機能性、利便性の向上が図られる。
【００７２】
なお、本実施の形態における記述は、本発明に係る画像形成装置の一例を示すものであり、これに限定されるものではない。本実施の形態における画像形成装置１０の細部構成および詳細動作に関しては、本発明の趣旨を逸脱しない範囲で適宜変更可能である。
【図面の簡単な説明】
【００７３】
【図１】本発明を適用した画像形成システムの断面構成を示す図である。
【図２】本発明を適用した画像形成システムの回路構成を示す図である。
【図３】図２に示す表示部に表示される基本操作画面の一例を示す図である。
【図４】本発明を適用した読み込みモードのリセット処理を説明するフローチャートである。
【図５】本発明を適用した読み込みモードのリセット処理を説明するフローチャートである。
【図６】（ａ）は、ＡＤＦモードがデフォルトに設定された場合の動作処理を示すタイミングチャートの一例であり、（ｂ）は、プラテンモードがデフォルトに設定された場合の動作処理を示すタイミングチャートの一例である。
【符号の説明】
【００７４】
１  画像形成システム
２  原稿
４  挿入シート
１０  画像形成装置
２０  ＡＤＦ
２１  原稿載置トレイ
２２  給紙ローラ
２３  密着ローラ
２４  案内ローラ
２５  切替爪
２６  反転ローラ
２７  排紙トレイ
３０  読取部
３１  コンタクトガラス
３２  プラテンガラス
３３  光源
３４  ミラー
３５  露光走査部
３６  ラインイメージセンサ
３７  集光レンズ
３８  各種ミラー
４０  プリンタ部
４２  レーザーユニット
４３  感光体
４４  帯電装置
４５  現像装置
４６  転写装置
４７  分離装置
４８  クリーニング装置
４９  定着装置
６０  給紙部
６１  給紙カセット
６２  第一給紙ローラ
７０  搬送部
７０ａ  通常経路
７０ｂ  反転経路
７１  搬送ローラ
７５  進路切替爪
７６  反転ローラ
９０  後処理装置
９１  加工手段
９２  排紙トレイ
１００  主制御部
１０１  読取処理部
１０２  ＤＲＡＭ制御部
１０３  圧縮部
１０４  伸張部
１０５  画像メモリ
１０５ａ  圧縮メモリ
１０６  書き込み処理部
１０７  不揮発メモリ
１１０  画像制御部
２１０  スキャナ制御部
２１５  ＡＤＦ制御部
２１５ａ  原稿有無センサ
２１５ｂ  開閉センサ
２２０  操作表示部
２２１  表示部
２２２  操作部
２２３  操作制御部
２３０  プリンタ制御部
【図１】
2005151114.tif 000003
【図２】
2005151114.tif 000004
【図３】
2005151114.tif 000005
【図４】
2005151114.tif 000006
【図５】
2005151114.tif 000007
【図６】
2005151114.tif 000008